(57)【要約】【課題】被写体の背後にある表示手段の表示を撮影に応じて制御することができる表示制御システムを提供する。【解決手段】建築物（２３０）の壁面に画像を表示する表示手段（１８６）と、表示手段（１８６）を制御する制御信号を出力する送信手段（３Ａ）を有する撮像装置（２）と、建築物（２３０）に設けられ、前記制御信号を受信する受信手段（１８５Ａ）と、撮像装置（２）の送信手段（３Ａ）から出力された前記制御信号を受信手段（１８５Ａ）を介して受信すると、表示手段（１８６）を制御する制御手段（１４４）とを備えている。【選択図】図１
2010204345.tif 000002
【特許請求の範囲】
【請求項１】
建築物の壁面に画像を表示する表示手段と、
前記表示手段を制御する制御信号を出力する送信手段を有する撮像装置と、
前記建築物に設けられ、前記制御信号を受信する受信手段と、
前記撮像装置の送信手段から出力された前記制御信号を前記受信手段を介して受信すると、前記表示手段を制御する制御手段と
を備えていることを特徴とする表示制御システム。
【請求項２】
前記画像が動画像であり、前記制御手段は前記動画像の表示を一時停止させることを特徴とする請求項１記載の表示制御システム。
【請求項３】
前記制御手段は、前記制御信号を受信手段を介して受信すると、予め記憶されていたメッセージを前記表示手段の表示領域に表示させることを特徴とする請求項１又は２記載の表示制御システム。
【請求項４】
前記制御手段は、前記メッセージが複数あるとき、前記複数のメッセージを予め割り当てられた複数の表示領域にそれぞれ表示させることを特徴とする請求項３記載の表示制御システム。
【請求項５】
前記撮像装置の固有の情報は、予め前記制御手段に登録されることを特徴とする請求項１〜４のいずれか１項記載の表示制御システム。
【請求項６】
前記撮像装置の固有の情報は、通信端末装置と通信ネットワークとを介して前記制御手段に登録されることを特徴とする請求項５記載の表示制御システム。
【発明の詳細な説明】
【技術分野】
【０００１】
この発明は表示制御システムに関する。
【背景技術】
【０００２】
最近、観客からの指示にしたがって作り出された種々の花火画像をスクリーン面に表示する花火演出装置が知られている（下記特許文献参照）。この装置によれば、スクリーン面に表示された花火画像を背景にして記念撮影等を行うことも可能である。
【先行技術文献】
【特許文献】
【０００３】
【特許文献１】特開２００２−６６１６３号公報
【発明の概要】
【発明が解決しようとする課題】
【０００４】
しかし、動画画像を背景にして静止画撮影した場合、撮影装置のシャッタが開いてから閉じるまでの間スクリーン面上の画像が動くので、その画像の軌跡が取得され、取得画像が流れたようになるという問題がある。特に、花火画像を背景にして撮影した場合、花火画像の美しさが引き立つ夕暮れから夜にかけての薄暗い時に撮影が行われるため、シャッタが開いてから閉じるまでの間の時間が長くなり、取得した花火画像の流れが顕著になる。
【０００５】
この発明はこのような事情に鑑みてなされたもので、その課題は被写体の背後にある表示手段の表示を撮影に応じて制御することができる表示制御システムを提供することである。
【課題を解決するための手段】
【０００６】
上記課題を解決するため請求項１記載の発明は、建築物の壁面に画像を表示する表示手段と、前記表示手段を制御する制御信号を出力する送信手段を有する撮像装置と、前記建築物に設けられ、前記制御信号を受信する受信手段と、前記撮像装置の送信手段から出力された前記制御信号を前記受信手段を介して受信すると、前記表示手段を制御する制御手段とを備えていることを特徴とする。
【０００７】
請求項２記載の発明は、請求項１記載の表示制御システムにおいて、前記画像が動画像であり、前記制御手段は前記動画像の表示を一時停止させることを特徴とする。
【０００８】
請求項３記載の発明は、請求項１又は２記載の表示制御システムにおいて、前記制御手段は、前記制御信号を受信手段を介して受信すると、予め記憶されていたメッセージを前記表示手段の表示領域に表示させることを特徴とする。
【０００９】
請求項４記載の発明は、請求項３記載の表示制御システムにおいて、前記制御手段は、前記メッセージが複数あるとき、前記複数のメッセージを予め割り当てられた複数の表示領域にそれぞれ表示させることを特徴とする。
【００１０】
請求項５記載の発明は、請求項１〜４のいずれか１項記載の表示制御システムにおいて、前記撮像装置の固有の情報は、予め前記制御手段に登録されることを特徴とする。
【００１１】
請求項６記載の発明は、請求項５記載の表示制御システムにおいて、前記撮像装置の固有の情報は、通信端末装置と通信ネットワークとを介して前記制御手段に登録されることを特徴とする。
【発明の効果】
【００１２】
この発明によれば被写体の背後にある表示手段の表示を撮影に応じて制御することができる。
【図面の簡単な説明】
【００１３】
【図１】図１はこの発明の第１実施形態に係る表示制御システムを説明するための概念図である。
【図２】図２は撮影装置で撮影した画像のプリントの一例を示す図である。
【図３】図３は管理サーバの構成を示すブロック図である。
【図４】図４は撮影装置の構成を示すブロック図である。
【図５】図５は撮影装置による登録処理の手順を示すフローチャートである。
【図６】図６は管理サーバによる登録処理の手順を示すフローチャーである。
【図７】図７は撮影装置による撮影処理の手順を示すフローチャートである。
【図８】図８は管理サーバによる管理処理の手順を示すフローチャートである。
【図９】図９は決済サーバの内部の構成例を示すブロック図である。
【図１０】図１０は携帯型通信装置の構成を示すブロック図である。
【図１１】図１１は端末装置を用いた登録方法を説明するためのブロック図である。
【図１２】図１２は端末装置の構成を示すブロック図である。
【図１３】図１３はこの発明の第２実施形態に係る表示制御システムを説明するための図であって、建築物に表示された画像を背景として被写体を撮影したときの画像のプリントの一例を示す図である。
【図１４】図１４はこの発明の第２実施形態の変形例に係る表示制御システムを説明するための概念図である。
【図１５】図１５は複数の撮影者が重複しない別のタイミングで建築物に表示された画像を背景にそれぞれ異なる被写体を撮影するときのそれぞれの撮影者のメッセージの表示位置を示す図である。
【図１６】図１６は複数の撮影者が同じ撮影タイミングで建築物に表示された画像を背景にそれぞれ異なる被写体を撮影するときのそれぞれの撮影者のメッセージの表示位置を示す図である。
【図１７】図１７は管理サーバによる登録処理の手順を示すフローチャートである。
【図１８】図１８は管理サーバによる管理処理の手順を示すフローチャートである。
【発明を実施するための形態】
【００１４】
以下、この発明の実施の形態を図面に基づいて説明する。
【００１５】
図１はこの発明の第１実施形態に係る表示制御システムを説明するための概念図である。
【００１６】
建築物２３０の壁面には画像を表示する表示部（表示手段）１８６が設けられている。第１実施形態では画像は動画像２００である。
【００１７】
表示部１８６を背景にして立っている被写体４に向かい合って撮影装置（撮像装置）２を持った撮影者１が立っている。撮影装置２の上面にはレリーズボタン２５が設けられている。
【００１８】
建築物２３０の屋上には通信部アンテナ３Ａ（図４参照）から出力される制御信号を受信する撮影装置用通信部アンテナ（受信手段）１８５Ａが設けられている。
【００１９】
また、建築物２３０内には、撮影装置用通信部アンテナ１８５Ａが制御信号を受信すると、表示部１８６に表示されている動画像２００を一時停止させる処理を開始する管理サーバ（制御手段）１４４（図３参照）が設けられている。
【００２０】
図２は撮影装置で撮影した画像のプリントの一例を示す図である。
【００２１】
プリント２５０には表示部１８６に表示された動画像２００と動画像２００を背景とした被写体４とが写っている。このとき、動画像２００は流れることなく写し込まれている。
【００２２】
図３は管理サーバ１４４の構成を示すブロック図である。
【００２３】
管理サーバ１４４のＣＰＵ１７１は、ＲＯＭ１７２に記憶されているプログラム、又はＲＡＭ１７３にロードされたプログラムに従って各種の処理を実行する。ＲＡＭ１７３には、ＣＰＵ１７１が各種の処理を実行する上において必要なデータなども適宜記憶される。ＣＰＵ１７１、ＲＯＭ１７２、ＲＡＭ１７３及び入出力インタフェース１８０はバス１７４を介して相互に接続されている。
【００２４】
入出力インタフェース１８０には、例えばキーボード、マウスなどの入力部１８１と、例えばＣＲＴ、ＬＣＤなどのディスプレイ、スピーカ、プリンタなどの出力部１８２と、建築物２３０の壁面に設けられた表示部１８６と、ハードディスクなどで構成されるデータベース１８３と、モデム、ターミナルアダプタなどで構成され、アンテナ１８４Ａを介して携帯型通信装置５（図１０参照）と無線通信を行う携帯型通信装置用通信部１８４と、モデム、ターミナルアダプタなどで構成され、アンテナ１８５Ａを介して撮影装置２と無線通信を行う撮影装置用通信部１８５と、モデム、ターミナルアダプタなどで構成され、決済サーバ１４８に接続されている有線用通信部１８７とが接続されている。
【００２５】
また、入出力インタフェース１８０にはドライブ１９０が接続されている。ドライブ１９０には、磁気ディスク１９１、光ディスク１９２、光磁気ディスク１９３、半導体メモリ１９４などが適宜装着される。それらの記憶媒体から読み出されたコンピュータプログラムがＲＡＭ１７３等にインストールされる。
【００２６】
図４は撮影装置２の構成を示すブロック図である。
【００２７】
ＣＰＵ１１は、ＲＯＭ１２に記憶されているプログラムをＲＡＭ１３にロードし、そのプログラムにしたがって撮影装置２全体の動作を制御する。また、ＣＰＵ１１は、バス２０を介してＲＯＭ１２、撮影部１４、操作部２１、モニタ２２、記憶部２３、通信部３及びドライブ３０に接続されている。
【００２８】
ＲＡＭ１３にはＣＰＵ１１が各種の処理を実行する上において必要なデータなどが記憶される。
【００２９】
撮影部１４は、ＣＣＤ又はＣＭＯＳなどの撮像素子や撮影レンズなどで構成されるカメラ１５と、カメラ１５を制御するカメラ制御部１６とを有する。カメラ１５は撮影者１の指示に基づいて被写体４の画像を取り込み（撮影し）、カメラ制御部１６は撮影者１によるカメラ１５の操作に応じてカメラ１５のズーム率、取り込む光量などを制御する。
【００３０】
操作部２１はレリーズボタン２５（図１参照）や調整レバー（図示せず）等で構成されている。撮影者１は操作部２１を操作して、撮影、カメラ１５のフォーカス調整等の指示を入力する。なお、操作部２１をボタンやレバー等で構成する必要はなく、上記の操作ができるものであれば、例えばキーボード又はタッチパッド等のような入力装置を操作部２１としてもよい。
【００３１】
操作部２１の１つであるレリーズボタン２５の押し込み方向の押し込み深さの違いで撮影状態を２段階に切り替えるようにしてもよい。半押しと呼ぶ押し込み深さが浅い押し込みの状態で撮影装置２が撮影準備状態になり、全押しと呼ぶ半押しから更にレリーズボタン２５を押し込んだ状態で撮影開始状態になり、全押しから半押し状態に戻すと撮影が解除され撮影準備状態に戻る。
【００３２】
モニタ２２は、例えばＣＲＴやＬＣＤなどであり、撮影部１４のカメラ１５により撮影された撮影画像を表示する。また、モニタ２２には操作の案内、電池残量、撮影枚数等の各種の情報が表示される。
【００３３】
記憶部２３には撮像装置２を識別可能なＩＤ情報（固有の情報）が記憶される。
【００３４】
通信部３はアンテナ３Ａを介して管理サーバ１４４と無線通信を行う。通信部３は例えば表示部１８６を制御する制御信号を出力する。
【００３５】
ドライブ３０には、磁気ディスク３１、半導体メモリ３４などが適宜装着される。それらの記憶媒体から読み出されたコンピュータプログラムが記憶部２３又はＲＡＭ１３にインストールされる。
【００３６】
カメラ１５により撮影された撮影画像に対応する画像データを、ドライブ３０を介して、磁気ディスク３１又は半導体メモリ３４に記憶することができる。
【００３７】
次に、表示制御システムを実施可能にするための撮影装置２及び管理サーバ１４４による登録処理の手順を説明する。
【００３８】
図５は撮影装置２による登録処理の手順を示すフローチャート、図６は管理サーバ１４４による登録処理の手順を示すフローチャートである。
【００３９】
撮影者１は撮影装置２を持って建築物２３０にある受付に出向く。
【００４０】
撮影者１は撮影装置２の操作部２１を操作して記憶部２３に記憶されている撮影装置２のＩＤ情報を通信部３のアンテナ３Ａから管理サーバ１４４へ送信する（Ｓ１）。このステップＳ１で撮影装置２による登録処理が終了する。
【００４１】
管理サーバ１４４は撮影装置２から送信されたＩＤ情報を撮影装置用通信部１８５のアンテナ１８５Ａで受信し、ＲＡＭ１７３に登録する（Ｓ１１）。
【００４２】
撮影者１が受付でシステム利用料金を支払うと、そのシステム利用料金に応じたポイント数がポイント情報として受付によって入力され、そのポイント情報がＲＡＭ１７３に記憶される（Ｓ１２）。
【００４３】
ＲＡＭ１７３に蓄えられたＩＤ情報とポイント情報とは関連づけられてデータベース１８３に保存される（Ｓ１３）。このステップＳ１３で管理サーバ１４４による登録処理が終了する。
【００４４】
次に、撮影装置２及び管理サーバ１４４による撮影処理の手順を説明する。
【００４５】
図７は撮影装置２による撮影処理の手順を示すフローチャート、図８は管理サーバ１４４による管理処理の手順を示すフローチャートである。
【００４６】
まず、撮影者１は建築物２３０の外に出て、建築物２３０を背景にして被写体４に向けて撮影装置２を構える。撮影者１は撮影装置２のレリーズボタン２５を半押しして、カメラ制御部１６によってフォーカスと露出とを適正にした撮影準備状態にする。
【００４７】
その後、レリーズボタン２５を全押して撮影を開始する。レリーズボタン２５が全押しされると、記憶部２３に保存されているＩＤ情報と撮影開始信号（制御信号）とが通信部３から送信される（Ｓ２１）。
【００４８】
管理サーバ１４４では、撮影装置２から送られてきたＩＤ情報と撮影開始信号とを撮影装置用通信部１８５のアンテナ１８５Ａで受信する（Ｓ３１）。
【００４９】
管理サーバ１４４はＩＤ情報が登録済みか否かを判断する（Ｓ３２）。
【００５０】
管理サーバ１４４はＩＤ情報をデータベース１８３のデータと照合し、データベース１８３にＩＤ情報が登録されていないとき（ＮＯ）、処理を終了し、データベース１８３にＩＤ情報が登録されているとき（ＹＥＳ）、ステップＳ３３に進む。
【００５１】
管理サーバ１４４は規定のポイント数が登録されているか否か（規定のポイント数をみたしているか否か）を判断する（Ｓ３３）。規定のポイント数が登録されていないとき、処理を終了し、規定のポイント数が登録されているとき、ステップＳ３４に進む。
【００５２】
管理サーバ１４４は表示部１８６の動画像２００の表示が一時停止状態か否か（他に撮影している人がいるか否か）を確認する（Ｓ３４）。動画像２００が一時停止状態でないとき（ＮＯ）、ステップＳ３５に進んで表示部１８６の全面に対して動画像２００を一時停止状態にする。撮影の間、動画像２００は停止するので、動画像２００が流れない綺麗なプリント２５０（図２参照）が得られる。
【００５３】
ステップＳ３４で動画像２００が一時停止中であるとき（ＹＥＳ）、ステップＳ３６に進む。
【００５４】
撮影者１が撮影を終え、レリーズボタン２５の全押し状態を解除したとき、撮影装置２はＩＤ情報と撮影終了信号とを送信する（Ｓ２２）。このステップＳ２２で撮影装置２による撮影処理が終了する。
【００５５】
管理サーバ１４４はＩＤ情報と撮影終了信号とを受信したとき、ＩＤ情報と撮影終了信号とをＲＡＭ１７３に保存する（Ｓ３６）。
【００５６】
管理サーバ１４４は撮影終了信号待ちになっている他の撮影装置のＩＤ情報が存在しないか否かを確認する（Ｓ３７）。撮影終了信号待ちになっている他の撮影装置のＩＤ情報が存在しないとき（ＹＥＳ）、動画像２００の一時停止が解除され（Ｓ３８）、動画像２００は再び動きだす。
【００５７】
ステップＳ３７で撮影終了信号待ちのＩＤ情報が存在したとき（ＮＯ）、撮影中の他の撮影者が存在していることになるのでステップＳ３９に進む。
【００５８】
管理サーバ１４４は、ＲＡＭ１７３にあるＩＤ情報と撮影終了信号とから撮影者１が撮影を終了したと判断し、ＲＡＭ１７３に保存していたＩＤ情報に関連づけたポイント数からポイントを減じる（Ｓ３９）。残ったポイント数をＩＤ情報に関連づけてデータベース１８３に保存する。このステップＳ３９で管理サーバ１４４による撮影処理が終了する。
【００５９】
以上のようにすることで、動画像２００が流れることなく図２に示すような動画像２００が止まった綺麗なプリント２５０を得ることが可能となる。
【００６０】
この実施形態では、撮影者１がお金を受付に払うことによってポイント数が加算されるようにしたが、例えば、その建築物２３０内の店で買い物をした際に、その購入額の何％かをポイントとして加算し、動画像２００を一時停止できる権利を得ることができるようにしてもよく、そうした場合、建築物２３０の出店者は本発明を顧客を呼ぶ方法として利用することができる。
【００６１】
また、登録時に撮影装置２のＩＤ情報とともにクレジットカードに関する情報も入力し、管理サーバ１４４に有線用通信部１８７から接続されている決済サーバ１４８から利用したポイント数に換算された金額が引き落とされるようにしても良い。このようにすれば、撮影者１は、ポイント数を加算させるたびに受付者のところに出向く煩わしさをなくすことができる。
【００６２】
図９は決済サーバ１４８の内部の構成例を示すブロック図である。
【００６３】
決済サーバ１４８のＣＰＵ２０１は、ＲＯＭ２０２に記憶されているプログラム、又はＲＡＭ２０３にロードされたプログラムに従って各種の処理を実行する。ＲＡＭ２０３には、ＣＰＵ２０１が各種の処理を実行する上において必要なデータなども適宜記憶される。ＣＰＵ２０１、ＲＯＭ２０２、ＲＡＭ２０３及び入出力インタフェース２１０は、バス２０４を介して相互に接続されている。
【００６４】
入出力インタフェース２１０には、例えばキーボード、マウスなどの入力部２１１と、例えばＣＲＴ、ＬＣＤなどよりなるディスプレイ、スピーカ及びプリンタなどの出力部２１２、ハードディスクなどで構成される記憶部２１３、モデム、ターミナルアダプタなどで構成され、管理サーバ１４４に接続されている通信部２１４が接続されている。
【００６５】
また、入出力インタフェース２１０にはドライブ２２０が接続されている。ドライブ２２０には、磁気ディスク２２１、光ディスク２２２、光磁気ディスク２２３、、半導体メモリ２２４などが適宜装着される。それらの記憶媒体から読み出されたコンピュータプログラムが、ＲＡＭ２０３等にインストールされる。
【００６６】
なお、この実施形態ではＩＤ情報を、建築物２３０の受付に出向いて登録するようにしたが、図１０に示すような携帯型通信装置５を利用して登録してもよい。
【００６７】
図１０は携帯型通信装置５の構成を示すブロック図である。
【００６８】
ＣＰＵ５１は、ＲＯＭ５２に記憶されているプログラムをＲＡＭ５３にロードし、そのプログラムにしたがって携帯型通信装置５の全体の動作を制御する。ＣＰＵ５１は、バス６０を介してＲＯＭ５２、ＲＡＭ５３、操作部６３、モニタ６４、記憶部６２、マイク６５、スピーカ６６、通信部６１及びドライブ７０に接続されている。
【００６９】
ＲＡＭ５３にはＣＰＵ５１が各種の処理を実行する上において必要なデータなどが記憶される。
【００７０】
通信部６１はアンテナ５Ａを介して撮影装置２、管理サーバ１４４と無線通信を行う。
【００７１】
ドライブ７０には半導体メモリ７４が装着されている。
【００７２】
記憶部６２はＩＤ情報等を記憶する。
【００７３】
操作部６３はボタン等で構成されている。撮影者は操作部６３を操作して、画像をモニタ６４に表示させたり、音声データに対応する音声をスピーカ６６より出力させたりすることができる。
【００７４】
モニタ６４は操作部６３からの入力情報等を表示する。
【００７５】
マイク６５は音声を音声データとして取得する。取得された音声データはＲＡＭ５３等に保持され、通信部６１のアンテナ５Ａを介して送信される。
【００７６】
スピーカ６６は通信部６１で取得された音声データに対応する音声を出力する。
【００７７】
次に、携帯型通信装置５による登録処理の手順を説明する。
【００７８】
撮影者１は撮影装置２の記憶部２３に記憶されているＩＤ情報を通信部３のアンテナ３Ａから携帯型通信装置５に送信する。携帯型通信装置５は、通信部６１のアンテナ５ＡでＩＤ情報を受信し、記憶部６２にＩＤ情報が保存される。撮影者１は携帯型通信装置５の記憶部６２に記憶されたＩＤ情報を通信部６１のアンテナ５Ａで管理サーバ１４４に送信する。管理サーバ１４４の携帯型通信装置用通信部１８４のアンテナ１８４ＡでＩＤ情報を受信し、ＲＡＭ１７３に記憶する。以上によって撮影者１は、建築物２３０の受付に直接出向かなくても登録作業を済ませることができる。例えば、建築物２３０の受付に出向く前日に上記方法によって予めＩＤ情報の登録作業を済ませておけば、当日の登録作業の煩わしさから逃れられ、撮影に集中できる。なお、この実施形態ではＩＤ情報を撮影装置２から携帯型通信装置５に送信するようにしたが、ＩＤ情報を携帯型通信装置５の操作部６３を使って入力して管理サーバ１４４に送信してもよい。
【００７９】
また、図１１に示すように端末装置４１０を用いてＩＤ情報の登録を行ってもよい。
【００８０】
図１１は端末装置４１０を用いたＩＤ情報の登録方法を説明するためのブロック図である。
【００８１】
端末装置４１０と管理サーバ１４４とはネットワーク４００を介して接続されている。撮影者１は、建築物２３０の受付に直接出向かなくても端末装置４１０内に記憶されたＩＤ情報をネットワーク４００を介して管理サーバ１４４（ＲＡＭ１７３）に送って登録することができる。撮影者１は建築物２３０に出向く前日に登録作業を済ませておけば、当日の登録作業の煩わしさから逃れられる。
【００８２】
図１２は端末装置４１０の構成を示すブロック図である。
【００８３】
ＣＰＵ４１１は、ＲＯＭ４１２に記憶されているプログラム又はＲＡＭ４１３にロードされたプログラムに従って各種の処理を実行する。ＲＡＭ４１３には、ＣＰＵ４１１が各種の処理を実行する上において必要なデータなども記憶される。ＣＰＵ４１１、ＲＯＭ４１２、ＲＡＭ４１３及び入出力インタフェース４２０はバス４１４を介して相互に接続されている。
【００８４】
入出力インタフェース４２０には、例えばキーボード、マウスなどの入力部４２１と、例えばＣＲＴ、ＬＣＤなどのディスプレイ、スピーカ、プリンタなどの出力部４２２と、ハードディスクなどで構成される記憶部４２３と、モデム、ターミナルアダプタなどで構成され、ネットワーク４００に接続されている通信部４２４とが接続されている。
【００８５】
また、入出力インタフェース４２０にはドライブ４３０が接続されている。ドライブ４３０には磁気ディスク４３１、光ディスク４３２、光磁気ディスク４３３、半導体メモリ４３４などが適宜装着される。それらの記憶媒体から読み出されたコンピュータプログラムがＲＡＭ４１３等にインストールされる。
【００８６】
次に、端末装置４１０による登録処理の手順を説明する。
【００８７】
撮影者１は入力部４２１からＩＤ情報を入力する。入力されたＩＤ情報はＲＡＭ４１３に記憶され、通信部４２４からネットワーク４００を介して管理サーバ１４４へ送信される。管理サーバ１４４はＩＤ情報を受信し、ＲＡＭ１７３に記憶する。管理サーバ１４４はＩＤ情報と決済に関わる情報とを関連付けてデータベース１８３に保存する。以上のようにして登録処理が完了する。
【００８８】
なお、ＩＤ情報を入力部４２１から入力するようにしたが、撮影装置２の通信部３と端末装置４１０の通信部４２４との間の送受信によってＩＤ情報をＲＡＭ４１３に記憶するようにしてもよい。
【００８９】
この実施形態によれば、被写体４の背後にある表示部１８６の表示を撮影に応じて制御することができる。したがって、被写体４を撮影する間、表示部１８６に表示される動画像２００を停止させて撮影することができ、撮影中の画像が流れたようにならない。また、多くの撮影者がこのシステムを利用するために建築物２３０を訪れるため、建築物２３０やその周辺地域を活性化させることができる。
【００９０】
なお、撮影装置２のレリーズボタン２５の半押し状態のときに撮影装置２がＩＤ情報と撮影準備信号とを送信するようにし、そのＩＤ情報と撮影準備信号とを管理サーバ１４４が受信したときステップＳ３２とステップＳ３３との処理をあらかじめ進めておき、撮影装置２のレリーズボタン２５が全押し状態になり撮影装置２からＩＤ情報と撮影開始信号とが送信され、管理サーバ１４４がそれらを受信したとき、ステップＳ３４から処理を開始するようにしてもよい。このようにすることによって、レリーズボタン２５の全押しから動画像２００の一時停止までの処理の時間を短縮することができる。
【００９１】
また、建築物２３０の表示部１８６の動画像２００を一時停止させる信号が出たとき、表示部１８６の全面に対して停止を実行するようにしているが、撮影範囲が表示部１８６の全面に至らない場合には表示部１８６の一部の領域（撮影範囲に対応する部分）だけ動画像２００を一時停止して撮影エリア以外の領域では動画像２００を停止しないようにしてもよい。このようにすることで、撮影者１の関与によって動画像２００に変化が生じるので変化にとんだ表示が可能となり、その場に居合わせたという印象が深くなり撮影者１と被写体４にとって思い出深いものとなる。
【００９２】
更に、表示部１８６の一時停止した撮影エリアの動画像２００の色を変化させるようにしてもよい。例えば白をピンクに変化させれば、表示部１８６に場所によって色の変化を加えることができ、またその変化も撮影者１が表示部１８６のどの撮影エリアをどのタイミングで一時停止させるかによるので、その場でしか得られない動画像２００のパターンが形成され、表示部１８６を鑑賞する人にとっても魅力的な表示となる。
【００９３】
図１３はこの発明の第２実施形態に係る表示制御システムを説明するための図であって、建築物２３０に表示された画像を背景として被写体４を撮影したときの画像のプリントの一例を示す図であり、第１実施形態と共通する部分には同一符号を付してその説明を省略する。
【００９４】
この実施形態は表示部１８６にメッセージ２４０を表示させるようにした点で第１実施形態と相違する。
【００９５】
プリント２５０には、被写体４と表示部１８６に表示された「きっとなおります」というメッセージ２４０とが写っている。管理サーバ１４４（図３参照）は、撮影装置２から送られてきたＩＤ情報と撮影開始信号（制御信号）とを受信したとき、シャッタが開いたときから閉じるまでの間だけメッセージ２４０を表示部１８６の表示領域に表示させる。そのため、撮影者１の方向を見ている被写体４（人間）は、撮影時にメッセージ２４０が表示部１８６に表示されていることに気付かない。
【００９６】
この実施形態によれば、被写体４の背後にある表示部１８６の表示を撮影に応じて制御することができる。したがって、被写体４を撮影する間、撮影者の希望するメッセージ２４０を表示させて撮影することができる。また、メッセージ２４０は撮影の間だけ表示され、しかも被写体４の人間はメッセージ２４０が表示されたことを気付かないので、被写体４がプリント２５０を見たときの感動を高めることができる。なお、表示部１８６に表示される画像が動画像であるときには、被写体４を撮影する間、第１実施形態と同様に表示部１８６に表示される動画像２００を停止させる。
【００９７】
図１４はこの発明の第２実施形態の変形例に係る表示制御システムを説明するための概念図であり、第１実施形態と共通する部分には同一符号を付してその説明を省略する。
【００９８】
この変形例は２人の撮影者１，４１が建築物２３０の表示部１８６の動画像２００を背景にそれぞれ異なる被写体４，４０を撮影する点で第２実施形態と相違する。
【００９９】
被写体４と被写体４０とは所定の距離をおいて表示部１８６の前に立っている。被写体４に向いて撮影装置２を持った撮影者１が立っており、被写体４０に向いて撮影装置４２を持った撮影者４１が立っている。
【０１００】
図１５は複数の撮影者が重複しない別のタイミングで建築物に表示された画像を背景にそれぞれ異なる被写体を撮影するときのそれぞれの撮影者のメッセージの表示位置を示す図、図１６は複数の撮影者が同じ撮影タイミングで建築物に表示された画像を背景にそれぞれ異なる被写体を撮影するときのそれぞれの撮影者のメッセージの表示位置を示す図である。
【０１０１】
図１５では表示部１８６上に、「きっとなおります」という撮影者１のメッセージ２４０と「おたんじょうびおめでとう」という撮影者４１のメッセージ２７０とが重なって表示されているが、撮影タイミングが重複していないので、両方のメッセージが重なって写ることはない。
【０１０２】
図１６では表示部１８６上に、「きっとなおります」というメッセージ２４０と「おたんじょうびおめでとう」というメッセージ２７０とが割り当てられた複数の表示領域に表示され、同時に複数の撮影者１，４１がそれぞれ異なる被写体４，４０を撮影をしてもメッセージ２４０とメッセージ２７０とが重ならない。
【０１０３】
次に、管理サーバ１４４による登録処理の手順を説明する。なお、撮影装置２による登録処理の手順は図５に示した手順と同じであるのでその説明を省略する。
【０１０４】
図１７は、管理サーバ１４４による登録処理の手順を示すフローチャートであり、図６と共通する部分には同一符号を付してその説明を省略する。
【０１０５】
ステップＳ１２の後、撮影者１は受付にメッセージを伝える。受付の担当者は撮影者１から伝えられたメッセージを入力部１８１から入力し、ＲＡＭ１７３に蓄える（Ｓ１１３）。
【０１０６】
ＲＡＭ１７３に蓄えられたＩＤ情報及びポイント情報とメッセージとを関連づけてデータベース１８３に保存する（Ｓ１１４）。このステップＳ１１４で管理サーバ１４４による登録処理が終了する。
【０１０７】
なお、この登録処理を第１実施形態と同様に携帯型通信装置５や端末装置４１０を用いて行うことができる。
【０１０８】
次に、管理サーバ１４４による管理処理を説明する。なお、撮影装置２による撮影処理は図７に示した手順と同じであるのでその説明を省略する。
【０１０９】
図１８は管理サーバ１４４による管理処理の手順を示すフローチャートであり、図８と共通する部分には同一符号を付してその説明を省略する。
【０１１０】
ステップＳ３３では、ポイントが登録済みでないとき（ＮＯ）、処理を終了する。ポイントが登録済みのとき（ＹＥＳ）、ステップＳ１３４に進む。
【０１１１】
管理サーバ１４４は表示部１８６に他の撮影者のメッセージ２７０が表示されているか否かを確認する（Ｓ１３４）。他の撮影者のメッセージ２７０が表示されていないとき（ＮＯ）、ステップＳ１３５に進み、データベース１８３にＩＤ情報に関連づけられているメッセージ２４０を表示部１８６の所定の表示領域に表示する。撮影の間、メッセージ２４０が表示部１８６に表示されているので、プリント２５０には表示部１８６のメッセージ２４０が写る。
【０１１２】
ステップＳ１３４で他の撮影者のメッセージ２７０が表示中と判断されたとき（ＹＥＳ）、ステップＳ１３６に進み、他の撮影者のメッセージ２７０の表示領域を避けてメッセージ２４０を表示させる。例えば、図１４に示すように撮影者１，４１が表示部１８６を背景としてそれぞれ異なる被写体４，４０を撮影する場合の処理を考える。被写体４０を撮影しようとする撮影者４１が先に撮影開始状態に入り、表示部１８６にメッセージ２７０が表示されているとき、被写体４を撮影しようとする撮影者１が撮影開始状態に入ったとき、被写体４０に関連するメッセージ２７０が表示された表示領域と異なる表示領域に被写体４に関連するメッセージ２４０を表示させる（図１６参照）。撮影の間、メッセージ２４０が表示部１８６に表示されるので、プリント２５０には表示部１８６のメッセージ２４０が写る。
【０１１３】
管理サーバ１４４はＩＤ情報と撮影終了信号とを受信したとき、ＩＤ情報と撮影終了信号とをＲＡＭ１７３に保存する（Ｓ３７）。
【０１１４】
管理サーバ１４４は撮影終了信号に基づいてＩＤ情報に関連づけられたメッセージ２４０を表示部１８６から消去する（Ｓ１３８）。これによって撮影に集中していた被写体４はメッセージ２４０に気付かず、プリント２５０を見たときに初めて被写体４がメッセージ２４０に気付く。なお、メッセージ２４０の表示部１８６からの消去方法は、撮影を終了し被写体４が振り返って表示部１８６を見たときには表示が残っているがメッセージの内容が読み取れないようにぼやけていて徐々に消えていくものでもよい。
【０１１５】
管理サーバ１４４は、ＲＡＭ１７３にあるＩＤ情報と撮影終了信号とから撮影が終了したと判断し、ＲＡＭ１７３に保存していたＩＤ情報に関連づけられたポイント数からポイントを減じ、減じて残ったポイント数をＩＤ情報に関連づけてデータベース１８３に保存する（Ｓ３９）。このステップＳ３９で管理サーバ１４４による管理処理が終了する。
【０１１６】
以上のようにすることで、撮影するときには被写体４に気付かれないでメッセージ２４０を表示した撮影ができ、プリント２５０を見てはじめて被写体４がメッセージ２４０に気づき被写体４がプリント２５０を見たときの感動を高めることが可能となる。
【０１１７】
なお、撮影装置２に予め複数のメッセージを記憶させておき、撮影者１が複数のメッセージの中から所望のメッセージを選択し、撮影のときに管理サーバ１４４に情報を送る際に、選択したメッセージの情報も送信して、表示部１８６にメッセージを表示させるようにしてもよい。そのようにすれば、撮影者１はメッセージを切り替えながら複数の撮影を続けて行うことができる。
【０１１８】
また、撮影装置２の操作部２１を使って入力したメッセージを管理サーバ１４４に送り、そのメッセージを表示部１８６に表示させるようにしてもよい。
【０１１９】
この変形例によれば、第２実施形態と同様の効果を奏するとともに、複数の撮影者１，４１と被写体４，４０とが表示部１８６を背景として撮影を行った場合であっても、メッセージ２４０，２７０が重なって表示されないので、メッセージを確実に被写体４，４０に伝えることができる。
【符号の説明】
【０１２０】
２，４２：撮影装置（撮像装置）、３Ａ：アンテナ（送信手段）、１４４：管理サーバ（制御手段）、１８５Ａ：アンテナ（受信手段）、１８６：表示部（表示手段）、２００：動画像、２３０：建築物、２４０，２７０：メッセージ、４００：ネットワーク、４１０：端末装置。
【図１】
2010204345.tif 000003
【図２】
2010204345.tif 000004
【図３】
2010204345.tif 000005
【図４】
2010204345.tif 000006
【図５】
2010204345.tif 000007
【図６】
2010204345.tif 000008
【図７】
2010204345.tif 000009
【図８】
2010204345.tif 000010
【図９】
2010204345.tif 000011
【図１０】
2010204345.tif 000012
【図１１】
2010204345.tif 000013
【図１２】
2010204345.tif 000014
【図１３】
2010204345.tif 000015
【図１４】
2010204345.tif 000016
【図１５】
2010204345.tif 000017
【図１６】
2010204345.tif 000018
【図１７】
2010204345.tif 000019
【図１８】
2010204345.tif 000020